【事件の表示】
　特願２０１５−１３５１１６「電子機器」拒絶査定不服審判事件〔平成２７年１０月　１日出願公開、特開２０１５−１７２９７６、請求項の数（１）〕について、次のとおり審決する。
【結　論】
　原査定を取り消す。
　本願の発明は、特許すべきものとする。
【理　由】
第１　手続の経緯
　本願は、平成２４年５月２８日（優先権主張　平成２３年５月２７日）に出願された特願２０１２−１２１２６７号の一部を、平成２７年７月６日に新たな特許出願としたものであって、平成２７年７月６日付けで手続補正がされ、平成２８年８月２４日付けで拒絶理由通知がされ、平成２８年１０月２８日付けで意見書が提出されたが、平成２９年３月７日付けで拒絶査定がされ、これに対し、平成２９年６月１２日に拒絶査定不服審判の請求がされたものである。
　
第２　原査定の理由の概要
　原査定（平成２８年１０月２８日付け拒絶査定）の概要は次のとおりである。
１．本願請求項１に係る発明は、その出願前に日本国内又は外国において、頒布された以下の引用文献１に記載された発明であるから、特許法第２９条第１項第３号に該当し、特許を受けることができない。
２．本願請求項１に係る発明は、以下の引用文献１に基づいて、その発明の属する技術の分野における通常の知識を有する者（以下、「当業者」という。）が容易に発明できたものであるから、特許法第２９条第２項の規定により特許を受けることができない。
　　　　　　　　＜引用文献等一覧＞
１．特開２０１０−１５２７３６号公報
第３　本願発明
　本願請求項１に係る発明（以下、それぞれ「本願発明１」という。）は、平成２７年７月６日付けの手続補正で補正された特許請求の範囲の請求項１に記載された事項により特定される発明であり、本願発明１は以下のとおりの発明である。
　
「【請求項１】
　複数の入力オブジェクトを表示する表示部と、
　接触を検出する接触検出部と、
　前記接触検出部に対する押圧を検出する押圧検出部と、
　前記接触検出部により前記表示部に表示された入力オブジェクトに対応する位置の接触が検出され、前記押圧検出部により検出される押圧に基づくデータが前記入力オブジェクトの所定の基準を満たすと、前記入力オブジェクトに関連付けられた処理を行う制御部と、を有し、
　前記制御部は、隣り合う前記入力オブジェクトを前記所定の基準が異なるように配置することを特徴とする電子機器。」
　
　
第４　引用文献、引用発明等　
１．引用文献１について
　原査定の拒絶の理由に引用された上記引用文献１には、図面とともに次の事項が記載されている。
ア．「【技術分野】
【０００１】
　本発明は、入力装置に関するものであり、特に、タッチパネルを有する入力装置に関するものである。」
イ．「【発明を実施するための最良の形態】
【００２８】
　以下、本発明の実施の形態について、図面を参照して説明する。以下の実施の形態では、本発明の入力装置を具える携帯端末の一例として、携帯電話を想定して説明する。しかしながら、本発明の入力装置が適用できる携帯端末は携帯電話に限定されるものではなく、例えばＰＤＡなどタッチパネルを有する任意の携帯端末などに適用できる。また、本発明は、タッチパネルを有する携帯端末に限定されるものでもなく、上述したような銀行のＡＴＭや駅の券売機など、タッチパネルを有する任意の入力端末にも適用できる。
【００２９】
　図１は、本発明の実施の形態に係る入力装置を備える携帯電話１０の概略構成を示す外観斜視図である。この携帯電話１０は、端末本体の前面に、一部切り欠いて示すように、液晶ディスプレイ（ＬＣＤ）または有機ＥＬディスプレイなどに種々の情報およびキーやボタンなどの形状を描画してこれらの配列を表示する表示部３２を備えている。また、この表示部３２の前面には、ユーザの指やスタイラスペンなどによる入力を受け付けるマトリクススイッチ等で構成した入力部３４を配設する。本実施の形態では、これら表示部３２と入力部３４とを含めてタッチパネル３０を構成している。携帯電話１０はさらに、マイクなどにより構成される音声入力部７０、スピーカなどにより構成される音声出力部８０、および、少なくとも１つの機械的なキーにより構成されるキー入力部９０も備えている。
【００３０】
　他にも、携帯電話１０は、必要な機能に応じて、デジタルカメラ機能部、ワンセグ放送用チューナ、赤外線通信機能部などの近距離無線通信部、および各種インタフェース等を備える場合もあるが、これらの詳細については図示および説明を省略する。
【００３１】
　図２は、本実施の形態に係る携帯電話１０の内部構成を概略的に示す機能ブロック図である。図２に示すように、
携帯電話１０は、制御部２０と、タッチパネル３０と、荷重検出部４０と、振動部５０と、記憶部６０と、音声入力部７０と、音声出力部８０と、キー入力部９０と、を備えている
タッチパネル３０は、上述したように、ユーザからの入力を受け付ける入力部３４を、表示部３２の前面に重畳させて配設することにより構成する
タッチパネル３０は、ユーザからの操作入力を受け付けると共に、各アプリケーションプログラム（以下、「アプリケーション」と略記する）に応じて入力結果など各種情報の表示を行う
【００３２】
　タッチパネル３０の
入力部３４は、ユーザの指先やスタイラス等の接触（押圧）による入力を検知することにより、当該接触による入力が検知された位置に対応する信号を出力する
。表示部３２は、各アプリケーションに対応する表示を行う他、入力部３４へのユーザの操作入力を受け付ける各種キーやボタンなどで構成するユーザインタフェースを所定の表示領域に描画して表示する。本実施の形態においては、このように、タッチパネル３０の入力部３４に対するユーザの操作入力を受け付けるために、表示部３２に表示する各種キーやボタンなどの画像を「入力用オブジェクト」と記す
【００３３】
　
荷重検出部４０は、タッチパネル３０（または入力部３４）に対する押圧荷重を検出するもので、
ウ．「【００４３】
　本実施の形態に係る入力装置は、
制御部２０において、入力部３４で検知される入力を監視するとともに、荷重検出部４０で検出される押圧荷重を監視する。制御部２０は、入力部３４で検知された押圧入力が表示部３２に表示された入力用オブジェクトに対する入力で、かつ、荷重検出部４０により検知される押圧荷重が、当該入力を受け付ける際の所定の基準を満たした際に、当該入力を正規の入力として受け付ける
エ．「【００４６】
　以下、本実施の形態による、入力用オブジェクトの荷重基準設定処理を行うための初期設定について説明する。本実施の形態では、入力用オブジェクトの荷重基準設定処理を行う前提として、まず、表示部３２に表示されている入力用オブジェクトに対して通常の操作入力を行うための、入力部３４に入力がされたと判定する荷重基準Ｐ１を予め設定する。この際、荷重基準の値Ｐ１は、ユーザが表示部３２に対して通常の操作入力を行う際の普段の押圧力に基づいて設定する。この設定に基づいて、ユーザが通常の操作入力を行う際の普段の押圧力として、Ｐ１（Ａ１）を超える押圧荷重が荷重検出部４０によって検出された場合、制御部２０は、表示部３２に表示されている入力用オブジェクトが押下されたと判定する。また、（Ａ１の後）押圧された入力用オブジェクトに対してＰ１（Ａ２）を割り込んだ押圧荷重が荷重検出部４０によって検知された場合、制御部２０は、押下中の入力用オブジェクトに対する操作入力が完了（確定）したと判定する。
【００４７】
　このように、荷重基準の値Ｐ１を設定することにより、ユーザが入力部３４にごく軽く触れただけで入力として判定してしまうことを防ぎ、これにより、ユーザの意図しない入力を回避することができる。
【００４８】
　また、このように荷重基準の値Ｐ１を設定することにより、入力部３４上で同一位置（同じ入力用オブジェクト）を連続して複数回押圧する連打入力を行う場合、ユーザは、１回の入力ごとに入力部３４から指を離すことなく連打入力を行うことができる。すなわち、入力部３４上にユーザの指が触れたままであっても、ユーザは、指の押圧力の強弱を調整して、荷重基準の値Ｐ１に対して連続して押圧力を上下させるような入力を行うことにより、当該入力を連打入力として入力部３４に認識させることができる。このような入力方法は、ユーザにとっては指を動かすストロークが少なくて済むため、ユーザは、この入力方法に習熟することにより、より少ない動きで素早く楽に入力を行うことができる。
【００４９】
　次に、本実施の形態では、ユーザが入力部３４に対して通常の操作入力を行う際の普段の押圧力よりも大きな（強い）押圧力に基づいて、荷重基準の値Ｐ２を設定する。本実施の形態では、このように設定した荷重基準の値Ｐ２を超える押圧を、上述した荷重基準の値がＰ１である入力用オブジェクトと隣り合っている入力用オブジェクトに対する入力として受け付ける。このため、荷重基準の値がＰ１の入力用オブジェクトと隣り合っている入力用オブジェクトに対して、Ｐ１より大きな押圧力Ｐ２（Ｂ１）を超える押圧荷重が荷重検出部４０によって検出された場合、制御部２０は、当該隣り合っている入力用オブジェクトが押下されたと判定する。また、（Ｂ１の後）押圧された当該隣り合っている入力用オブジェクトに対してＰ２（Ｂ２）を割り込んだ押圧荷重が荷重検出部４０によって検出された場合、制御部２０は、押下中の入力用オブジェクトに対する操作入力が完了（確定）したと判定する。すなわち、制御部２０は、表示部３２に表示されている入力用オブジェクトに対する押圧入力を受け付ける荷重基準Ｐ１よりも、当該入力用オブジェクトと隣り合って表示された入力用オブジェクトに対する押圧入力を受け付ける荷重基準を高く（Ｐ２）するように制御する。
【００５０】
　したがって、荷重基準の値がＰ１の入力用オブジェクトと隣り合っている入力用オブジェクトに対して、ユーザが通常の操作入力を行う際の普段の（Ｐ２に達しない）押圧力で押圧しても、この押圧入力は、当該隣り合っている入力用オブジェクトに対する入力として受け付けられない。ユーザが通常の操作入力を行う際の普段の押圧力（Ｐ１）よりも大きなＰ２を超える押圧力で押圧された場合に初めて、この押圧入力は、当該隣り合って表
示された入力用オブジェクトに対する入力として受け付けられる。
【００５１】
　なお、上述の説明では、例として、荷重基準（Ｐ１，Ｐ２）の値を「押圧荷重のしきい値」に見立て、荷重基準の値を「超えた」場合に「荷重基準が満たされた」と判定する態様について説明した。以下も、このような態様により判定する場合について説明するが、「荷重基準が満たされた」と判定できる態様はこれに限定されるものではなく、いくつもの態様を含むことが想定できる。例えば、入力用オブジェクトに対するユーザの押圧入力による押圧荷重が上記荷重基準の値に「達した」場合に荷重基準が満たされたと判定することもできる。また、上記荷重基準の値を示す押圧荷重が荷重検出部４０によって「検出された」場合に荷重基準が満たされたと判定することもできる。
【００５２】
　次に、図５のフローチャートを参照して、本実施の形態による入力用オブジェクトの荷重基準設定処理について説明する。本実施の形態による
入力用オブジェクトの荷重基準設定処理は、制御部２０が、入力用オブジェクトにより構成されるユーザインタフェースをタッチパネル３０の表示部３２上に表示するアプリケーションを起動する要求（命令）を受けることにより開始する。ユーザインタフェースを表示するアプリケーションを起動する命令を受けると、制御部２０は、記憶部６０に記憶されている各種ユーザインタフェースのテンプレートの中から、上述した要求に対応するテンプレートを読み込む（ステップＳ１）。
【００５３】
　
ユーザインタフェースのテンプレートを読み込んだら、制御部２０は、テンプレートに含まれる入力用オブジェクトが複数であるか否かを判定する（ステップＳ２）。テンプレートに含まれる入力用オブジェクトが複数である場合、制御部２０は、次に、隣り合った入力用オブジェクトが所定の間隔未満で配置される仕様になっているか否かを判定する（ステップＳ３）。なお、所定の間隔については、後述する。テンプレートに含まれる入力用オブジェクトが複数で、かつ、隣り合った入力用オブジェクトが所定の間隔未満で配置される場合、制御部２０は、これらの入力用オブジェクトに対する押圧入力を受け付ける荷重基準が相違（Ｐ１およびＰ２）するように、各入力用オブジェクトの荷重基準を設定する
【００５４】
　ステップＳ４にて
各入力用オブジェクトの荷重基準の設定が完了したら、制御部２０は、これらの各入力用オブジェクトを表示部３２に表示して
【００５５】
　
以上の処理により、複数の入力用オブジェクトが隣り合って配置される場合に、各入力用オブジェクトに対する押圧入力を受け付ける荷重基準が相違する態様で配置される
　　
　上記記載（特に、下線部）によれば、引用文献１には、以下の発明（以下、「引用発明」という。）が記載されているといえる。
　
〈引用発明〉
 
「制御部２０と、タッチパネル３０と、荷重検出部４０と、振動部５０と、記憶部６０と、音声入力部７０と、音声出力部８０と、キー入力部９０と、を備えている携帯電話１０であって、
　前記タッチパネル３０は、ユーザからの入力を受け付ける入力部３４を、表示部３２の前面に重畳させて配設され、ユーザからの操作入力を受け付けると共に、各アプリケーションに応じて入力結果など各種情報の表示を行い、
　前記入力部３４は、ユーザの指先やスタイラス等の接触（押圧）による入力を検知することにより、当該接触による入力が検知された位置に対応する信号を出力し、
　前記表示部３２は、各アプリケーションに対応する表示を行う他、入力部３４へのユーザの操作入力を受け付ける各種キーやボタンなどの入力用オブジェクトで構成するユーザインタフェースを所定の表示領域に描画して表示し、
　前記荷重検出部４０は、タッチパネル３０または入力部３４に対する押圧荷重を検出するものであり、
　前記制御部２０は、前記入力部３４で検知される入力を監視するとともに、前記荷重検出部４０で検出される押圧荷重を監視し、前記入力部３４で検知された押圧入力が前記表示部３２に表示された入力用オブジェクトに対する入力で、かつ、前記荷重検出部４０により検知される押圧荷重が、当該入力を受け付ける際の荷重基準を満たした際に、当該入力を正規の入力として受け付けるものであって、
　前記制御部２０は、入力用オブジェクトの荷重基準設定処理を、入力用オブジェクトにより構成されるユーザインタフェースをタッチパネル３０の表示部３２上に表示するアプリケーションを起動する要求（命令）を受けることにより開始し、ユーザインタフェースを表示するアプリケーションを起動する命令を受けると、記憶部６０に記憶されている各種ユーザインタフェースのテンプレートの中から、上述した要求に対応するテンプレートを読み込み、テンプレートに含まれる入力用オブジェクトが複数であるか否かを判定し、テンプレートに含まれる入力用オブジェクトが複数である場合、隣り合った入力用オブジェクトが所定の間隔未満で配置される仕様になっているか否かを判定し、テンプレートに含まれる入力用オブジェクトが複数で、かつ、隣り合った入力用オブジェクトが所定の間隔未満で配置される場合、これらの入力用オブジェクトに対する押圧入力を受け付ける荷重基準が相違（Ｐ１およびＰ２）するように、各入力用オブジェクトの荷重基準を設定し、各入力用オブジェクトの荷重基準の設定が完了したら、これらの各入力用オブジェクトを表示部３２に表示し、
　複数の入力用オブジェクトが隣り合って配置される場合に、各入力用オブジェクトに対する押圧入力を受け付ける荷重基準が相違する態様で配置される携帯電話１０。」
　第５　当審の判断
１．本願発明１について
（１）対比
　本願発明１と引用発明とを対比すると、次のことがいえる。
 
ア．引用発明の「入力用オブジェクト」は、本願発明１の「入力オブジェクト」相当する。
　そして、引用発明の「表示部３２」は、「各アプリケーションに対応する表示を行う他、入力部３４へのユーザの操作入力を受け付ける各種キーやボタンなどの入力用オブジェクトで構成するユーザインタフェースを所定の表示領域に描画して表示」するものであるから、引用発明の「表示部３２」は、本願発明１の「複数の入力オブジェクトを表示する表示部」に相当する。
イ．引用発明の「入力部３４」は、「ユーザの指先やスタイラス等の接触（押圧）による入力を検知する」ものであるから、本願発明１の「接触を検出する接触検出部」に相当する。
ウ．引用発明の「荷重検出部４０」は、「タッチパネル３０または入力部３４に対する押圧荷重を検出するもの」であるから、本願発明１の「前記接触検出部に対する押圧を検出する押圧検出部」に相当する。
エ．引用発明の「荷重基準」は、本願発明１の「所定の基準」に相当する。
　そして、引用発明の「制御部２０」は、「前記入力部３４で検知される入力を監視するとともに、前記荷重検出部４０で検出される押圧荷重を監視し、前記入力部３４で検知された押圧入力が前記表示部３２に表示された入力用オブジェクトに対する入力で、かつ、前記荷重検出部４０により検知される押圧荷重が、当該入力を受け付ける際の荷重基準を満たした際に、当該入力を正規の入力として受け付けるもの」であり、通常、「入力用オブジェクト」に対する「入力」が「正規」のものとして「受け付け」られたら、「制御部２０」は、「入力用オブジェクト」に関連付けられた処理が行うものと認められるから、引用発明の「制御部２０」は、本願発明１の「前記接触検出部により前記表示部に表示された入力オブジェクトに対応する位置の接触が検出され、前記押圧検出部により検出される押圧に基づくデータが前記入力オブジェクトの所定の基準を満たすと、前記入力オブジェクトに関連付けられた処理を行う制御部」に相当する。
オ．引用発明の「携帯電話１０」は、本願発明の「電子機器」に相当する。
　
　したがって、本願発明１と引用発明との間には、次の一致点、相違点があるといえる。
　
　 
（一致点）
「複数の入力オブジェクトを表示する表示部と、
　接触を検出する接触検出部と、
　前記接触検出部に対する押圧を検出する押圧検出部と、
　前記接触検出部により前記表示部に表示された入力オブジェクトに対応する位置の接触が検出され、前記押圧検出部により検出される押圧に基づくデータが前記入力オブジェクトの所定の基準を満たすと、前記入力オブジェクトに関連付けられた処理を行う制御部と、を有する、
　電子機器。」
　
（相違点）
　本願発明１では、「前記制御部は、隣り合う前記入力オブジェクトを前記所定の基準が異なるように配置する」ものであるのに対して、
　引用発明では、「制御部２０」が「隣り合った入力用オブジェクト」「に対する押圧入力を受け付ける荷重基準が相違（Ｐ１およびＰ２）するように、各入力用オブジェクトの荷重基準を設定」するものである点。
（２）相違点についての判断
　相違点について検討する。
　引用発明は、「記憶部６０に記憶されている各種ユーザインタフェースのテンプレートの中から、上述した要求に対応するテンプレートを読み込み」、該「テンプレートに含まれる入力用オブジェクトが複数で、かつ、隣り合った入力用オブジェクトが所定の間隔未満で配置される場合、これらの入力用オブジェクトに対する押圧入力を受け付ける荷重基準が相違（Ｐ１およびＰ２）するように、各入力用オブジェクトの荷重基準を設定」し「表示」するものであって、そして、通常、「テンプレート」における「入力用オブジェクト」の配置は予め決まったものといえる。
　してみると、引用発明の「制御部２０」は、「入力用オブジェクト」を「テンプレート」の予め決められた配置になるように表示するものであって、荷重基準が異なるように配置していないことから、「制御部２０」が、「入力用オブジェクト」に対して「荷重基準が相違（Ｐ１およびＰ２）するよう」に設定することをもって、「制御部２０」が、「入力用オブジェクト」を荷重基準が異なるように配置するものとはいえない。
　さらに、引用発明において、「制御部２０」が「隣り合った入力用オブジェクト」「に対する押圧入力を受け付ける荷重基準が相違（Ｐ１およびＰ２）するように」「荷重基準を設定」することに代えて、「制御部２０」が、隣り合う「入力用オブジェクト」の荷重基準が異なるように配置するためには、配置する前に、各「入力用オブジェクト」に対して荷重基準を設定する必要があるが、その場合、引用発明では適宜荷重基準を設定できるものと認められることから、当然、「隣り合った入力用オブジェクト」で荷重基準が相違（Ｐ１およびＰ２）するように、各入力用オブジェクトの荷重基準を設定するものと認められ、してみると、隣り合う「入力用オブジェクト」の荷重基準が異なるように配置する必要性がなくなってしまうことから、引用発明において、「隣り合った入力用オブジェクト」「に対する押圧入力を受け付ける荷重基準が相違（Ｐ１およびＰ２）するように、各入力用オブジェクトの荷重基準を設定」することに代えて、「制御部２０」が、隣り合う「入力用オブジェクト」の荷重基準が異なるように配置することはできないものと認められる。
　したがって、本願発明１は、引用文献１に記載された発明とはいえない。
　そして、本願発明１は、当業者であっても引用発明に基づいて容易に発明できたものであるとはいえない。
第６　むすび
　以上のとおり、本願発明１は、引用文献１に記載された発明とはいえない。
　そして、本願発明１は、当業者が引用発明に基づいて容易に発明をすることができたものではない。したがって、原査定の理由によっては、本願を拒絶することはできない。
　また、他に本願を拒絶すべき理由を発見しない。
　よって、結論のとおり審決する。